(57)【要約】【課題】コンテントパートデータを任意に組み合わせて柔軟性の高い電子書籍配信システムを実現する。【解決手段】コンテンツ管理サーバにコンテンツ管理テーブルを設けて、章単位や段落単位でのコンテンツ識別子とともに、表示構造を定義する構造テンプレート識別子と、イメージ識別子とを関係付けておく。これによって、章単位や段落単位にダウンロード可能にするとともに、ある物語をユーザが所望の挿し絵画家の挿し絵で読むことができるようになる。【選択図】図３
2013016128.tif 000002
【特許請求の範囲】
【請求項１】
電子書籍を構成する２以上のコンテントパートデータが登録されたコンテンツ管理サーバと、該コンテンツ管理サーバからネットワークを介して配信される電子書籍データを受信・表示するユーザ端末とからなる電子書籍配信システムであって、
前記コンテンツ管理サーバは、
少なくともコンテントパートを識別するコンテンツ識別子と、
当該コンテンツの表示構造を定義する構造テンプレート識別子と、
表示される画像を定義するイメージ識別子と、
が関連付けられたコンテンツ管理テーブルを備えており、
前記コンテンツ管理サーバの中央処理装置は、前記コンテンツ管理テーブルに基づいてコンテンツ識別子によって識別されたコンテントパートを、前記構造テンプレート識別子に定義された表示構造で、かつこの表示構造にイメージ識別子で定義されたイメージデータを対応付けて前記ユーザ端末に配信する電子書籍配信システム。
【請求項２】
前記コンテンツ識別子によって定義されるコンテントパートは、電子書籍の章または段落単位であることを特徴とする請求項１記載の電子書籍配信システム。
【請求項３】
前記イメージ識別子は、コンテントパート毎に定義された２以上の著作者によって生成されたイメージデータから任意に選択可能である請求項１記載の電子書籍配信システム。
【請求項４】
前記コンテンツ管理テーブルには、さらにコンテンツ識別子に関連付けられた音声データ識別子を有しており、前記コンテントパートの配信時に当該音声データ識別子で定義された音声データも前記ユーザ端末に配信される請求項１記載の電子書籍配信システム。
【発明の詳細な説明】
【技術分野】
【０００１】
本発明は、ネットワークを介した電子書籍の配信システムに関する。
【背景技術】
【０００２】
スマートホンやスレート端末の普及によって紙媒体に代わる電子書籍によるコンテンツ閲覧が新しい市場として期待されている。
しかしながら、端末メーカーやキャリア（通信事業者）による仕様や配信マーケットの不統一、さらには端末毎の画面の大きさや解像度の違い等から新たな市場としてスタートしているとはいえない状況が続いている。
【０００３】
たとえば、コンテンツのフォーマットについても、「ＥＰＵＢ」、「ＸＭＤＦ」、「．ｂｏｏｋ」、「ＡＺＷ」等が乱立している。これらのフォーマットでは、画面の解像度に併せてダウンロードされたコンテンツデータの段組を変更したりすることができるように工夫されている。なお、電子書籍のフォーマットとしてＸＭＬ形式のものを用いる先行技術文献として特開２００８−２６９６３７号公報（特許文献１）がある。
【先行技術文献】
【特許文献】
【０００４】
【特許文献１】特開２００８−２６９６３７号公報
【発明の概要】
【発明が解決しようとする課題】
【０００５】
しかしながら、従来提案されている電子書籍のフォーマットを含む仕様では、端末に併せてユーザが自ら段組の設定を変更できるようにされているものが限界であり、複数の表示構造、章や段落、さらには挿し絵等の画像データ、朗読の音声や背景音等の音声データ（これらを「コンテントパートデータ」と総称する）を配信段階で任意に選択できるようなものではなかった。
【０００６】
より具体的には、植物や動物の図鑑等の紙媒体書籍について、その解説部分については著作権者の許諾が得られていても、写真についてはカメラマンの許諾が得られていないような場合にはこれを電子書籍化することはできなかった。
【０００７】
本発明者は、このような点に鑑みてなされたものであり、コンテントパートデータを任意に組み合わせて柔軟性の高い電子書籍配信システムを実現することにある。そしてこのような仕組みによって一部分に著作権者の許諾が得られないような場合でも他の部分（コンテントパートデータ）だけで電子書籍が実現できる電子書籍配信システムを実現することにある。
【課題を解決するための手段】
【０００８】
本発明は、前記課題を解決するために、以下の手段を採用した。
本発明の請求項１は、電子書籍を構成する２以上のコンテントパートデータが登録されたコンテンツ管理サーバと、該コンテンツ管理サーバからネットワークを介して配信される電子書籍データを受信・表示するユーザ端末とからなる電子書籍配信システムであって、前記コンテンツ管理サーバは、
少なくともコンテントパートを識別するコンテンツ識別子と、当該コンテンツの表示構造を定義する構造テンプレート識別子と、表示される画像を定義するイメージ識別子と、が関連付けられたコンテンツ管理テーブルを備えており、前記コンテンツ管理サーバの中央
処理装置は、前記コンテンツ管理テーブルに基づいてコンテンツ識別子によって識別されたコンテントパートを、前記構造テンプレート識別子に定義された表示構造で、かつこの表示構造にイメージ識別子で定義されたイメージデータを対応付けて前記ユーザ端末に配信する電子書籍配信システムである。この請求項によれば、ダウンロード（配信）の段階で選択された構造テンプレート識別子に基づいて構造化されたコンテンツデータを受信できるため、ユーザ端末に依存することなく、柔軟な電子書籍配信が実現する。
【０００９】
本発明の請求項２は、コンテンツ識別子によって定義されるコンテントパートは、電子書籍の章または段落単位であることを特徴とする請求項１記載の電子書籍配信システムである。
【００１０】
この請求項によれば、コンテントパートが章毎、段落毎にダウンロード配信が実現するため、紙媒体に比べて柔軟な電子書籍の配信システムが実現できる。
本発明の請求項３は、前記イメージ識別子を、コンテントパート毎に定義された２以上の著作者によって生成されたイメージデータから任意に選択可能であることとした請求項１記載の電子書籍配信システムである。
【００１１】
この請求項によれば、電子書籍の挿し絵等にユーザが希望する挿し絵画家、漫画家による挿し絵を選択することができ、「○○の挿し絵で読む名作」というような柔軟性の高い電子書籍を実現できる。
【００１２】
本発明の請求項４は、前記コンテンツ管理テーブルには、さらにコンテンツ識別子に関連付けられた音声データ識別子を有しており、前記コンテントパートの配信時に当該音声データ識別子で定義された音声データも前記ユーザ端末に配信される請求項１記載の電子書籍配信システムである。
【００１３】
この本請求項によれば、電子書籍の朗読や効果音、あるいはＢＧＭを任意に選択することができるようになり、電子書籍の読書環境市場の活性化を実現できる。
【発明の効果】
【００１４】
本発明によれば、コンテントパートデータを任意に組み合わせて柔軟性の高い電子書籍配信システムを実現できる。
【図面の簡単な説明】
【００１５】
【図１】本発明の概念図
【図２】実施形態のシステム構成を示す説明図
【図３】実施形態のコンテンツ管理テーブルを示す説明図
【図４】実施形態のユーザ端末の表示画面例を示す説明図
【発明を実施するための形態】
【００１６】
本発明の実施形態を図を用いて説明する。
本発明の仕組みは図１に示すように、コンテンツ管理サーバ（ＣＭＳ）におけるコンテンツデータベースを中心に、書式データベース、ユーザ管理システム（ＣＲＭ）およびＰＯＤ管理システムで構成されている。
【００１７】
ユーザ管理システム（ＣＲＭ）は、ユーザＩＤやユーザ端末等のユーザの個人情報を管理するようになっている。そして、後述のコンテンツ管理サーバの中央処理装置（ＣＰＵ）によってこのユーザ管理システム（ＣＲＭ）がアクセスされ個人認証が実行され、当該ユーザが所持するユーザ端末がコンテンツ管理サーバの中央処理装置（ＣＰＵ）によって認識されることになる。このユーザ管理システム（ＣＲＭ）には、読者データベースと、
カード決済システムとが連携されており、課金処理が行われるようになっている。書誌データベースには、書籍毎に書名、著者、出版社、書籍ＩＤ（この書籍を構成する複数のコンテンツ識別子であってもよい）、価格、発行年、サイズ、文字数、内容、ジャンル、ＩＳＢＮ、索引、目次、推薦文等が登録されている。同図におけるアクションログデータベースは、ユーザ毎に、どのユーザ端末で、コンテンツ識別子で定義された電子書籍データをいつどこまで読んだかが登録されるようになっている。このアクションログデータベースは、ユーザ端末がオフライン状態（ネットワークに接続されていない状態）では、ユーザ端末内にこのアクションログデータを蓄積しておき、当該ユーザ端末がオンライン状態（ネットワークに接続された状態）となったときにこのアクションログデータをネットワークを介してアクションログデータベースにアクセスして、当該アクションログデータベースを更新するようになっている。
【００１８】
アノテーションデータベースには、原著作者、ユーザあるいは第三者が付加した注釈、アンダーラインやマーカ、コメント等のアノテーションデータが登録されるようになっている。ユーザ端末の所持者はコンテンツデータの配信を受ける際に、アノテーションデータを付加することを選択できる。このようにアノテーションデータとともに電子書籍を閲覧することによって、原著作者の意図や、第三者の感想等を同時に閲覧することが可能となる。これらのアノテーションデータは、一つのコンテンツデータに対して複数のアノテーションデータを関連付けておくことができ、ユーザは、たとえは『「名作Ａ」を「解説者Ｂ」の注釈で読む』というような電子書籍ならではの読書形態が可能となる。
【００１９】
ライセンス管理システムは、コンテントパート毎の著作権が管理されており、コンテンツ管理サーバからの配信毎にコンテンントパート（章、段落、イメージ、音声データのそれぞれの単位）での著作権使用料が計算されそれぞれの著作権者に分配されるようになっている。たとえば、電子書籍の販売価格を１００％とした場合、７０％を各著作者に還元する仕組みとし、テキストの原著作権者、挿し絵の原作者、朗読した声優に前記７０％をさらに按分してもよい。
【００２０】
ＰＯＤ管理システムは、電子書籍を構成する章立てや段落等のコンテントパート毎に印刷および製本を許可するシステムで、ユーザがコンテンツ管理テーブルで任意に選択した章立てや段落毎に、構造テンプレートで指定した紙面配置で、かつ所望の挿し絵（イメージデータ）で印刷を指示することにより、製本された紙媒体の書籍を入手可能となっている。
【００２１】
コンテンツ管理サーバは、本実施形態の中核をなすもので、図２に示す構成を有している。すなわち、コンテンツ管理サーバは情報処理装置からなる汎用サーバであり、中央処理装置（ＣＰＵ）およびメインメモリ（ＭＭ）を中心にバス（ＢＵＳ）で接続された大規模記憶装置（ＨＤ）およびネットワークインターフェース（Ｉ／Ｏ）を有している。
【００２２】
大規模記憶装置（ＨＤ）には、オペレーティングシステム（ＯＳ）とともに当該サーバをコンテンツ管理サーバとして機能させるためのサーバアプリケーションプログラム（ＡＰＬ）、各種テーブル（ＴＢＬ）および前述の各種データベースが構築されている。なお、各種データベースについては、ネットワーク（ＮＷ）を介して接続されたデータベースサーバ（ＤＢＳ）に構築されていてもよい。
【００２３】
ネットワーク（ＮＷ）には、汎用のパーソナルコンピュータ（ＤＴＰ）の他に、基地局（ＢＳ）を介して、スマートホン（ＳＭ）、携帯電話端末（ＭＰ）、タブレットＰＣ（ＴＰＣ）あるいはスレート端末が接続可能となっている。スマートホン（ＳＭ）としては、アップル社のiPhone（アイホン社から許諾されたアップル社の商標）、各端末メーカーから発売されているgoogle社のandroid端末がある。携帯電話端末（ＭＰ）としてはＮＴＴ
ドコモ社のi-mode端末（ＮＴＴドコモ社の登録商標）等がある。タブレットＰＣ（ＴＰＣ）あるいはスレート端末としては、アップル社のiPad、google社のandroid端末からなる
タッチパネル式の端末等がある。これらの端末では、たとえばアップル社はibooksという電子書籍配信システムが用意されているが、app storeというマーケットシステムのみか
らのダウンロードしか許可されておらず、そのフォーマットもＥＰＵＢに限定されている。一方、google社のandroidでは、いくつかのマーケットが用意されているが、端末の画
面の大きさ、解像度にもばらつきがある。
【００２４】
なお、端末のオペレーティングシステムとしては、前述のiPhone、iPadで採用されているiOS、android端末で採用されているandroidの他、ブラックベリーで採用されているRIM社のOS、あるいはWindows phone 等のOSがある。
【００２５】
図３は、本実施形態のコンテンツ管理サーバに登録されるコンテンツ管理テーブルであり、コンテンツ識別子（ＣＩＤ）を基準に、テキスト識別子（ＴＸＩＤ）、構造テンプレート識別子（ＳＴＩＤ）、イメージ識別子（ＩＭＩＤ）、音声識別子（ＶＯＩＤ）がそれぞれ関連付けられている。ここで、コンテンツ識別子（ＣＩＤ）は、電子書籍単位ではなく電子書籍の章立て、または段落単位で付与されていることが好ましい。このように章立て、段落単位でコンテンツ識別子（ＣＩＤ）を付与することによって、章単位または段落単位で電子書籍をダウンロードすることが可能となる。テキスト識別子（ＴＸＩＤ）は当該コンテンツ識別子に対応したテキスト情報を特定するための識別子であり、コンテンツデータベースのテキストデータを特定するものである。構造テンプレート識別子（ＳＴＩＤ）は、各データの配置構造を定義するものであり、たとえばテキストの縦書き・横書き、画面サイズ、イメージデータの位置およびその大きさを定義するようになっている。このような構造テンプレート識別子（ＳＴＩＤ）により、図４（ａ）乃至（ｃ）に示すような多様な画面表示が可能となる。イメージ識別子（ＩＭＩＤ）は挿し絵等のイメージデータを特定するための識別子である。このイメージ識別子（ＩＭＩＤ）は、前記構造テンプレート（ＳＴＩＤ）に対して１対１の関係である必要はなく、一つのコンテンツの画像表示箇所に対して表示させるべき画像を複数の画像から選択できるようにしてもよい。具体的には、このイメージ識別子（ＩＭＩＤ）を構造テンプレート（ＳＴＩＤ）に対して複数の中から選択可能としておくことにより、ある物語をユーザ所望の挿し絵画家の挿し絵（イメージデータ）とともに読むことも可能になる。具体的には昔話の桃太郎の話を、プロの挿し絵画家が描いた挿し絵で読むこともできるし、アニメーターが描いた現代風の挿し絵で読むこともできるし、さらには親が自ら描いた挿し絵を自分の子供に見せるために登録しておくことも可能である。
【００２６】
音声識別子（ＶＯＩＤ）は、当該コンテンツ識別子（ＣＩＤ）に対応した音声データを定義する識別子であり、具外的には当該テキスト識別子（ＴＸＩＤ）に対応した朗読音声、効果音、ＢＧＭ等を定義することができる。これにより、特定の物語を所望の声優に朗読してもらうようにしたり、ページめくり毎に効果音を入れたり、ＢＧＭを入れたりすることが可能となる。
【００２７】
以上に説明したコンテンツ管理テーブルにおけるコンテントパートデータはユーザが指定して任意に組み合わせて自身のユーザ端末にダウンロードさせてもよいし、あるいはコンテンツ管理サーバの中央処理装置（ＣＰＵ）がサーバアプリケーションプログラム（ＡＰＬ）に基づいてユーザ管理システム（ＣＲＭ）にアクセスして当該ユーザのユーザ端末の情報を取得し、当該ユーザ端末の仕様に基づいた構造テンプレートを決定し、この構造テンプレートに合わせたイメージデータ、音声データを当該ユーザ端末にダウンロードさせてもよい。
【００２８】
図４は、図３に示したコンテンツ管理テーブルにより選択されたコンテントパートデー
タに基づいて生成された電子書籍のユーザ端末における表示例である。同図（ａ）は比較的大型のタッチパネルＰＣ（スレート端末）で表示されたものであり、構造テンプレート（ＳＴＩＤ）として識別子ＳＴ００１が選択されている。この識別子ではテキスト（ＴＸ００１）は横書きで表示され、イメージデータ（ＩＭ００１）は右下で表示されるようになっている。一方、同図（ｂ）は、縦書きの構造テンプレート（ＳＴ００２）が選択されて、テキストは縦書きで表示され、イメージデータ（ＩＭ００２）は左下に表示されるようになっている。さらに、同図（ｃ）は、比較的小さな画面のスマートホン（ＳＭ）で表示するための横書きの構造テンプレート（ＳＴ００３）が選択され、イメージデータ（ＩＭ００３）も比較的小さなイメージデータが選択されている。   
【産業上の利用可能性】
【００２９】
本発明は、電子書籍配信システムに利用できる。
【符号の説明】
【００３０】
ＣＰＵ 中央処理装置
ＭＭ メインメモリ
ＢＵＳ バス
ＨＤ 大規模記憶装置
ＯＳ オペレーティングシステム
Ｉ／Ｏ 通信インターフェース
ＤＢＳ データベースサーバ
ＮＷ ネットワーク
ＢＳ 基地局
ＳＭ スマートホン
ＭＰ 携帯電話端末
ＴＰＣ タブレットＰＣ（スレート端末）
ＤＴＰ パーソナルコンピュータ
ＣＩＤ コンテンツ識別子
ＴＸＩＤ テキスト識別子
ＳＴＩＤ 構造テンプレート識別子
ＩＭＩＤ イメージ識別子
ＶＯＩＤ 音声識別子
【図２】
2013016128.tif 000003
【図３】
2013016128.tif 000004
【図４】
2013016128.tif 000005
【図１】
2013016128.tif 000006
【手続補正書】
【提出日】平成23年7月29日(2011.7.29)
【手続補正１】
【補正対象書類名】図面
【補正対象項目名】全図
【補正方法】変更
【補正の内容】
【図１】
2013016128.tif 000007
【図２】
2013016128.tif 000008
【図３】
2013016128.tif 000009
【図４】
2013016128.tif 000010